(57)【要約】      （修正有）【課題】飛行機や新幹線等に長時間座りぱなしで乗っている時、足の疲れを軽減するために用いられている吊り下げタイプのインスタントフットレストを提供する。【解決手段】足載置部１の袋の内側に長方形の補強板２を足載置部１の幅方向に平行に配設する。又足載置部１の表面側布に上面に保温系機能繊維製の保温部材を着脱自在に装着するようにする。さらに、２つ折に畳んだ足載置部１を覆い被せるようなカバー型留め具布９を足載置部の裏側布１ｂと一体的に形成し、小型、軽量、ローコスト化したことを特徴とする。【選択図】図２
0003202208.tif 000002
【実用新案登録請求の範囲】
【請求項１】
表面側布と裏面側布で折り畳みが可能な袋を形成した足載置部と、該足載置部を吊り下げる一対の長さ調整可能な吊部材と、前記足載置部の袋の中に複数個の長方形の補強板を配設し、さらに足載置部の表面側布の上面に着脱自在な保温材と、裏側布と一体的に形成されたカバー型留め具布とからなることを特徴とするインスタントフットレスト。
【請求項２】
足載置部に足を載せた時、足載置部のたわみを防止するために複数個の長方形の補強板を備え、前記長方形の補強板の長辺側が足載置部の幅方向と平行に設けられていることを特徴とする請求項１記載のインスタントフットレスト。
【請求項３】
足載置部の表面側布の上面に保温系機能繊維で形成した保温部材を着脱自在に装着したことを特徴とする請求項１記載のインスタントフットレスト。
【請求項４】
足載置部の上辺部に、折り畳んだ足載置部の幅方向の開口部を覆い被せるようにふさぐような、又折り畳んだ足載置部に止め置くためのカバー型留め具布を備え、前記カバー型留め具が足載置部を構成している布地と一体的に形成されていることを特徴とする請求項１記載のインスタントフットレスト。
【考案の詳細な説明】
【技術分野】
【０００１】本考案は、飛行機や新幹線等に長時間座りぱなしで乗っている時、足の疲労を軽減するために用いられるインスタントフットレストに関するものである。
【背景技術】
【０００２】従来から、飛行機のエコノミークラスでは、座席間隔が狭いうえに、フットレストも無く長時間座りぱなしで乗っている時の足のだるさを防止するために、搭乗して着席するとすぐ座席前テーブルに吊り下げるタイプのフットレストを即座に取り付けて足の疲れを軽減するインスタントフットラックが知られている。
【考案の概要】
【考案が解決しようとする課題】
【０００３】しかしながら、従来のインスタントフットレストでは、表布地と裏布地で袋状に形成された足載置部の袋の中に足載置部の幅方向と直角方向に挿入されている弾性材料からなる補強板が、両足の重みなどが作用する圧力に抗しきれずに大きくたわみ、足載置部がＵ字形に湾曲するので、載せ置きした足同志が強く圧迫しあったり、くるぶし同志が当たり痛くなり楽でないという問題がある。
又、機内は冷房が強く寒いので毛布などの掛物が配布されるが、うまく足先まで掛けられず、足が冷えるという好ましくない問題がある。
一方、インスタントフットレストを使い終わった時は、丸めたり、折り畳んだインスタントフットレスト本体に吊部材を巻き付けて、そのまま収納したり、ケースに収納してバックに入れたり、持ち運んだりしているが、小型化、軽量化、ローコスト化に問題がある。【０００４】そこで、本考案は上記の問題点に鑑み、簡単な構造で、足載置部が湾曲することなく楽に足を載せ続けることができ、かつ足を温めるための機能を備え、さらに、インスタントフットレスト本体の足載置部の上側に一体的に形成されたカバー型留め具布をインスタントフットレスト本体を覆うように被せて、マジックテープで留め置きできるインスタントフットレストを提供することを目的とする。
【課題を解決するための手段】
【０００５】表面と裏面を布地の袋で形成した足載置部と該足載置部を吊り下げる一対の吊部材と前記足載置部の袋の中に複数枚の長方形の補強板が設けられ、前記補強板の長辺側が足載置部の幅方向に平行に配設されていること、かつ足載置部の表面に着脱自在に取り付ける保温部材が遠赤外線を放射する機能性繊維で形成されていること、さらに、インスタントフットレストを使い終わった時、足載置部の下側半分の場所に吊部材を束ねて置き、その上に上側半分を折り畳み、カバー型留め具布を覆うように被せてマジックテープで止めるようにしたことを特徴とする。
【考案の効果】
【０００６】本考案に係るインスタントフットレストによれば次のような効果がある。
前座席の背面のテーブルに吊り下げられた状態で足載置部に両足を載せると袋に内蔵されている補強板が足からの圧力を受けてもたわむことなく足載置部は平らな状態を維持しているから足同志が圧迫されたり、くるぶし同志しが当たって痛い思いをすることなく楽に過ごせる。【０００７】また、足載置部の表面に、足を温めるための保温部材を備えているため、足を載せた時、足をじんわりと温めることが出来る。だから、足が冷えることを防止できる。【０００８】さらに、インスタントフットレスト本体を二に折り畳んでカバー型の留め具布を被せるだけなので、出し入れが簡単でしかもコンパクトに収納できるので携帯用として持ち歩きが容易であり、バック類にも場所をとらずに収納することができる。
【図面の簡単な説明】
【０００９】
【図１】  本考案のインスタントフットレストの使用状態を示す説明図
【図２】  本考案のインスタントフットレストの実施例を示す平面図
【図３】  本考案のインスタントフットレストの断面図（図２のＡ−Ａ間で切断した断面図）
【図４】  本考案のインスタントフットレストの実施例を示す説明図
【図５】  本考案のインスタントフットレストの実施例の折り畳み状態を示す説明図
【考案を実施するための形態】
【００１０】次に、本考案の実施例を図面に基づいて詳細に説明する。
【００１１】図１〜図３に示すインスタントフットレストは足載置部１が湾曲しないインスタントフットレストＡであり、足載置部１に載せ置きされた足Ｆを支える補強板２が配設された布部材３と該布部材３を前座席の背面のテーブル４に吊り下げるための吊部材５とを主な構成としている。
【００１２】布部材３は布地で構成されており、本実施例では表面布地１ａは天然繊維では木綿のコールテン、裏面布地１ｂは合成繊維ではナイロンのナイロンオックスが袋状に縫製で形成されている。なお、天然繊維として絹、麻、ウール、合成繊維としてポリウレタン、ポリエステルの少なくともいずれか一つで形成してもよい。
【００１３】図２、図３に示すように足載置部１の袋の内側に位置する部位にプラスチックや木等のような軽くて強い板材で補強板２が配設されている。本実施例では補強板２を比重が０．５〜０．７厚さ３ｍｍの低発泡塩ビ板を約６５×２００ｍｍの長方形に形成して袋の中に配設した。足Ｆを足載置部１に載せ置きしても補強板２が足からの圧力を受け止めて、たわみは生じなかった。結果として、足載置部１が平らな状態を維持できるという好ましい結果が得られた。
【００１４】なお、補強板２の設置方向は足載置部１の幅方向と平行となる位置に配置することが最も補強効果が発揮された。具体的には補強板２が足Ｆからの圧力を受けてもたわみが生じなかった。したがって足載置部１は湾曲することなく平らな状態を維持できた。
【００１５】図４に示すように、足載置部１には載せ置きされた足Ｆを保温するための機能繊維等の保温部材６を装着するよう形成されている。本実施例では保温部材６に遠赤外線効果を持つ生地や人体が出す赤外線の反射を利用した保温部材を使用した。
【００１６】吊部材５は布部材３を前座席Ｓのテーブル４に吊り下げるための紐で形成されている。吊部材５の両端にはバッフルが取り付けられており、テーブル４の引掛部４ａに通してから篏合する。
【００１７】図１、図５に示すようにインスタントフットレストの使用を終えた時、前座席Ｓのテーブル４に引っ掛けられた吊部材５を外し、足載置部１の上半分の場所で吊部材５を丸めて束ね置いて、下半分を可撓部８で二つ折りに畳んで、カバー型留め具布９で覆い被せてマジックテープ１０ａと１０ｂを押し圧して止める。
【００１８】以上、本考案の実施例を図面により詳細に述べてきたが、具体的な構成はこの実施例に限定されるものではなく、その要旨を逸脱しない範囲内で実施することが可能である。
【作用及び効果】
【００１９】図１に示すように飛行機で使用する場合には、前席Ｓの背面のテーブル４の引掛部４ａに吊り下げる。
【００２０】図２及び図４に示すように足載置部１に足Ｆを載せると足Ｆが持ち上がり、下半身を楽な姿勢でリラックスすることが出来る。
【００２１】このとき、足載置部１の袋の内部には足の重みなどを受けて圧力が作用しても補強板２が圧力に対抗して受け止めるためたわみを生じないので足載置部１が湾曲することなく平らな状態を保っているから、足同志が強く圧迫されたり、くるぶしが当たり痛くなることがないので快適である。
【００２２】最近の飛行機では、機内の冷房が強く温度が下がりすぎて寒い傾向がある。足載置部１に足Ｆを長時間載せて座っていると、やがて足Ｆが冷えてくる。この場合には、図４に示すように例えば遠赤外線効果のある保温部材６を装着して足Ｆを温めることができる。
【００２３】インスタントフットレストの使用を終えた場合には、前席Ｓのテーブル４から吊部材５を外し、図５に示すように足載置部１の上側半分の場所で吊部材５を丸め束ねて、その上に下側半分を可撓部８で二つに折り畳んで、カバー型留め具布９を覆うように被せてマジックテープ１０ａと１０ｂを止めれば、小型コンパクトにしてバックに簡単に収納できるし、持ち運びも簡単にすることができる。
【産業上の利用可能性】
【００２４】オフィスで、長時間同じ姿勢でのデスクワーク中に気になる足の疲れや足のむくみの解消や自宅のテーブルの下に設置して利用することができる。
【符号の説明】
【００２５】１      足載置部
１ａ    表面側布
１ｂ    裏面側布
２      補強板
３      布部材
４      テーブル
４ａ    引掛部
５      吊部材
６      保温部材
７ａ    マジックテープ（オス）
７ｂ    マジックテープ（メス）
８      可撓部
９      カバー型留め具布
１０ａ  マジックテープ（オス）
１０ｂ  マジックテープ（メス）
１１    バッフル
Ａ      インスタントフットレスト
Ｆ      足
Ｓ      前座席
【図１】
0003202208.tif 000003
【図２】
0003202208.tif 000004
【図３】
0003202208.tif 000005
【図４】
0003202208.tif 000006
【図５】
0003202208.tif 000007